(57)【要約】【課題】樋に形成された散水孔から流れ落ちる水量のばらつきを少なくし、各切り花への水の供給量の均一化を図った切り花保存装置を提供する。【解決手段】切り花保存装置１１は、基枠１２と、基枠１２に収容される複数の花受け部１３と、花受け部１３のそれぞれの上方に配置される樋４１〜４３と、樋４１〜４３に配置される散水孔カバー４５と、水供給装置１４とを具備する。樋４１〜４３は、底壁４１ａと周壁４１ｂとを備え、底壁４１ａには樋４１〜４３に収容された水を花受け部１３に向けて落下させる複数の散水孔４４が形成される。散水孔カバー４５は、上板４６と側面板４７と散水孔カバー４５の長手方向の両側に開口した開口部４５ａ、４５ｂとを備え、上板４６が散水孔４４との間に間隙を有するように散水孔４４の上部に配置される。【選択図】図１
2006246848.tif 000002
【特許請求の範囲】
【請求項１】
複数段の収容空間を有する基枠と、
水が透過可能に形成され、切り花を水平な面に対して斜め上方を向くように傾斜させた姿勢で保持し、前記収容空間に収容される複数の花受け部と、
前記複数の花受け部のそれぞれの上方に配置される樋であって、該樋は底壁と周壁とを備え、前記底壁には該樋に収容された水を前記花受け部に向けて落下させる複数の散水孔が形成された樋と、
前記樋内に配置される散水孔カバーであって、該散水孔カバーは上板と側面板と該散水孔カバーの長手方向の両側に開口した開口部とを備え、前記上板が前記散水孔との間に間隙を有するように前記散水孔の上部に配される散水孔カバーと、
前記樋内に水を供給する水の吐出口およびポンプを含む水供給装置と、
を具備することを特徴とする切り花保存装置。
【請求項２】
請求項１記載の切り花保存装置において、
前記水供給装置の前記吐出口と前記散水孔カバーの前記周壁との間に、前記樋に収容された水の水面より突出する高さを有しかつ板面が前記樋の長手方向に沿うように取付けられる水流調整板をさらに具備することを特徴とする切り花保存装置。
【請求項３】
請求項１記載の切り花保存装置において、
表面に緩衝材を有しかつ板面の法線が水平な面に対して斜め上方を向くよう前記樋内に取付けられる消音板をさらに具備することを特徴とする切り花保存装置。
【発明の詳細な説明】
【技術分野】
【０００１】
本発明は、切り花を扱う店舗等において、切り花を保存するために用いる切り花保存装置に関する。
【背景技術】
【０００２】
切り花を扱う店舗等においては、切り花を長時間新鮮な状態に維持したいという要求とともに、見栄えを良くした状態で切り花を陳列したいとの要求がある。
【０００３】
例えば特許文献１は、切り花を見栄えよく陳列する切り花保存装置を開示している。特許文献１記載の装置は、水が透過可能に形成され、切り花を斜めに保持した姿勢で収容する花受け部を有する。この装置はさらに、前記切り花の茎部分に水を噴出するノズルを有するパイプと、前記パイプに水を供給するポンプなどを備えている。この装置では、切り花を横向き方向の姿勢、すなわち購入者側に花托を向けるように切り花が保持される。従って切り花は、見栄えがよい状態で保存される。
【特許文献１】特開２００４−２４８５６３号公報
【発明の開示】
【発明が解決しようとする課題】
【０００４】
特許文献１記載の装置では、複数段の収容空間に設けられたノズルへの水の供給は、全て１つのポンプにより行われる。そのため、格段のノズルによっては水の噴出圧力が異なり、格段の収容空間に供給される水量が異なることがあった。
【０００５】
そこで本発明者は、花受け部の上方に樋を設け、この樋の底部に樋の長手方向に等間隔で複数の散水孔を形成し、これらの散水孔から切り花に向けて水を落下させることも考えた。
【０００６】
しかし、例えばパイプの開口端から樋に直接水を吐出させると、各々の散水孔から流れ落ちる水量のばらつきが大きく、全ての切り花に水を均等に散水することが難しいことがわかった。
【０００７】
本発明の目的は、各々の散水孔から流れ落ちる水量のばらつきを少なくし、各切り花への水の供給量の均一化を図った切り花保存装置を得ることにある。
【課題を解決するための手段】
【０００８】
本発明の一つの形態に係る切り花保存装置は、複数段の収容空間を有する基枠と、水が透過可能に形成され、切り花を水平な面に対して斜め上方を向くように傾斜させた姿勢で保持し、前記収容空間に収容される複数の花受け部と、前記複数の花受け部のそれぞれの上方に配置される樋であって、該樋は底壁と周壁とを備え、前記底壁には該樋に収容された水を前記花受け部に向けて落下させる複数の散水孔が形成された樋と、前記樋内に配置される散水孔カバーであって、該散水孔カバーは上板と側面板と該散水孔カバーの長手方向の両側に開口した開口部とを備え、前記上板が前記散水孔との間に間隙を有するように前記散水孔の上部に配される散水孔カバーと、前記樋内に水を供給する水の吐出口およびポンプを含む水供給装置と、を具備する。
【発明の効果】
【０００９】
この構成によれば、散水孔カバーにより、各々の散水孔から落下する水量のばらつきが少なくなる。このため、各切り花への水の供給量の均一化を図った切り花保存装置を得ることができる。
【発明を実施するための最良の形態】
【００１０】
以下に、本発明の第１の実施形態について図１から図９を参照して説明する。
【００１１】
切り花保存装置１１は、図１に示すように、基枠１２、花受け部としての花受け籠１３、および水供給装置１４を備える。基枠１２は、左右一対の側板２１、２２、上端板２３、下端板２４、および背板２５とを備える。基枠１２の背部は、目隠し板２８が背板２５の前側に配置され、２重壁となっている。背板２５と目隠し板２８との間の空間には給水ホース２９が取付けられている。
【００１２】
基枠１２は、上段の収容空間１５、中段の収容空間１６、および下段の収容空間１７の３つの空間を有する。具体的には、第１の仕切り部材３２が上端板２３に臨んで配置され、第２および第３の仕切り部材３３、３４が第１仕切り部材３２と下端板２４との間を略３等分するように配置されることで、これらの収容空間１５〜１７が形成される。図１では、基枠１２の下段の収容空間１７に収容される花受け籠１３のみを示し、上段及び中段の収容空間１５，１６に収容される花受け籠１３は省略して示している。
【００１３】
これら仕切り部材３２〜３４はそれぞれ、水平板３６と係止板３７とを有する。水平板３６は、基枠１２の左右の両側板２１、２２と背板２５の間に水平に設けられている。係止板３７は、水平板３６の前端から鉛直上向きに起立している。
【００１４】
最上部の水平板３６には、上段樋４１が設けられている。上段樋４１はその長手方向が左右方向を向くようにして、水平板３６の略中央部位に一体に形成されている。上段樋４１は、底壁４１ａと周壁４１ｂとを有する。周壁４１ｂは、底壁４１ａの全周から起立している。上段樋４１は、底壁４１ａと周壁４１ｂとで囲まれる空間に水を収容することができる。
【００１５】
周壁４１ｂは、前壁４８、後壁４９、および側壁５０とを有する。上段樋４１はその前壁４８が、後壁４９および側壁５０より高くなるように形成されている。
【００１６】
底壁４１ａには、その長手方向に沿って所定のピッチ（例えば等ピッチ）で、複数の散水孔４４が、例えば一列に並んで形成されている。散水孔４４は、上段樋４１に水が収容されたときに、その水を落下させる。
【００１７】
上段樋４１の内部には、散水孔カバー４５が配置される。散水孔カバー４５は、上板４６、側面板４７、および散水孔カバー４５の長手方向の両端に開口する一対の開口部４５ａ、４５ｂとを備える。
【００１８】
図４で示すように、上板４６は、全ての散水孔４４を覆うことができる面積を有する。側面板４７は、上板４６の長辺側の左右の側面に取付けられている。側面板４７の高さは、上段樋４１に収容される水の水位より小さくなる値としている。
【００１９】
この散水孔カバー４５は、図５で示すように、上板４６の板面が最上部となり、上板４６が全ての散水孔４４の上部を覆うようにして、上段樋４１の内部に載置される。上板４６が最上部となるように載置されることで、上板４６と上段樋４１の底壁４１ａとの間には、側面板４７の高さ分の間隙が形成される。また、側面板の高さが上段樋４１に収容される水の水位より小さい値であるので、上板４６は、水面よりも低い位置に配置されることになる。なおこの散水孔カバー４５および上段樋４１などで散水ケースが構成されることになる。
【００２０】
上段樋４１の後壁４９側の上方には、分流器３１が設けられている。分流器３１は、１つの取付口５１と左右一対の吐出口５２を有したＴ字型の分流器である。取付口５１には、前記した給水ホース２９が接続されている。吐出口５２は、上段樋４１に水を吐出する給水口である。
【００２１】
また上段樋４１には、分流器３１の吐出口５２と散水孔カバー４５の側面板４７との間に、水流調整板５３が配置されている。水流調整板５３は、板面が鉛直かつ上段樋４１の長手方向に沿うように取付けられる。水流調整板５３は、上段樋４１に水が収容されたとき、その水面より突出する高さをもつ。
【００２２】
２段目、３段目の仕切り部材３３、３４を構成する水平板３６にも、上段樋４１と同様に構成される中段樋４２、下段樋４３が同様に設けられている。中段樋４２は、上段樋４１の真下に位置するように形成される。下段樋４３は、中段樋４２の真下に位置するように形成される。また中段、下段樋４２、４３には、上段樋４１と同様に複数の散水孔４４および散水孔カバー４５が設けられている。なお散水孔カバー４５および中段樋４２などで、また散水孔カバー４５および下段樋４３などで散水ケースが構成されることになる。
【００２３】
また中段、下段樋４２、４３には、図７、図８で示すように、消音板５４が取付けられている。消音板５４の表面には全面にわたって緩衝材としてのスポンジ５５が取付けられている。消音板５４は、図９で示すように、それぞれ板面が後壁４９の上端と、前壁４８の付け根にわたるように中段樋、下段樋４２、４３に取付けられる。これにより消音板５４は、板面の法線が水平な面に対して斜め上方を向いて配置される。
【００２４】
また消音板５４は散水孔カバー４５と略同じ幅を持つ。従って、消音板５４が設けられた樋より上段の樋の散水孔４４から落下してくる水流は、直接、中段、下段樋４２，４３に落下することなく、必ず消音板５４上に落下することになる。
【００２５】
各仕切り部材３２〜３４の係止板３７には、一対の前側係止孔６１が左右方向に離間して開けられている。一方、基枠１２の目隠し板２８には、各収容空間１５〜１７に対応させて、左右方向に離間して開けられた一対の後側係止孔６２〜６４が上下方向に並んで３組設けられている。
【００２６】
また基枠１２の開口部Ｓ１と前側略半分Ｓ２の境界には、傾斜板６５が設けられている。傾斜板６５は、板面が上斜め後方を向くように取付けられている。
【００２７】
花受け籠１３は、基枠１２の各収容空間１５〜１７のそれぞれに収容される。すなわち、本実施形態では、花受け籠１３は３つ取付けられる。これら花受け籠１３はそれぞれ、例えばステンレス鋼からなる線材により外形略長方形状に形成され、水が透過可能である。
【００２８】
またこのステンレス鋼の枠組みには、上下面及び左右面にステンレス鋼板が取付けられる。上下面のステンレス鋼板７１，７２は、花受け籠１３が各収容空間１５〜１７に収容されたとき、樋４１〜４３の真下に位置する部位を除いて取付けられる。また左右のステンレス鋼板７３，７４は、上面に取付けられるステンレス鋼板７１より少し短く、ステンレス鋼板７１の後端と同じ位置から花受け籠１３の後述する前側係止具７５が設けられている位置にわたって取付けられる。
【００２９】
花受け籠１３の内部は、例えば、左右方向に４列、上下方向に２列、計８つの空間に分割されている。これらの空間がそれぞれ切り花７６を保持する保持空間となっている。切り花７６は、花托７７が花受け籠１３の前側に位置するように花受け籠１３の各保持空間に保持される。
【００３０】
また花受け籠１３の底部には、位置決め板７８が取付けられている。位置決め板７８は、花受け籠１３に保持された切り花７６の長手方向の保持位置を調整する調整板である。花受け籠１３において切り花７６は、位置決め板７８に切り花７６の切り口が当接するように保持される。
【００３１】
位置決め板７８は、後述する後側係止具７９が後側係止孔６２〜６４に装着されたときに、樋４１〜４３の後壁４９の真下で、板面が垂直になるように取付けられる。これにより花受け籠１３が収容空間１５〜１７に収容されると、切り花７６は切り口が鉛直方向に整列された状態となる。ここで位置決め板７８の材料の１例はステンレス鋼板である。
【００３２】
また、これら花受け籠１３の前側上部及び後側上部には、鉤状に屈曲した前側係止具７５および後側係止具７９が設けられている。花受け籠は、後側係止具７９を後側係止孔６２〜６４のうちのいずれかに着脱自在に係止させるとともに、前側係止具７５を前側係止孔６１に着脱自在に係止する。これらにより花受け籠１３は、基枠１２の各収容空間１５〜１７にそれぞれ収容される。
【００３３】
水供給装置１４は、水槽２６、ポンプ３０、ケーシング８１、冷媒流通用パイプ８２を有する冷却器８３、および前述した分流器３１とを備えている。基枠１２はケーシング８１の上部に固設されている。ポンプ３０は水槽２６内の水中に没している。ポンプ３０の吸込み口は水中に開口しており、ポンプ３０の吐出口には給水ホース２９が接続されている。
【００３４】
次に切り花保存装置１１の作用について説明する。
【００３５】
花托７７が花受け籠１３の前側に位置するように、切り花７６を花受け籠１３の各保持空間に収容する。なおこの収容は切り花７６の切り口が位置決め板７８に当接するように行われる。そしてこの花受け籠１３を基枠１２の各収容空間１５〜１７に収容する。
【００３６】
これにより、図２に示すように、切り花７６は切り花保存装置１１に花托７７を前方（すなわち購入者側）に向け、かつ、切り花７６を水平な面に対して斜め上方に向くように角度θ（０°≦θ＜９０°）だけ傾斜させて保持した姿勢で陳列される。好ましくは、切り花を水平な面に対して斜め上方に角度４５°±１０°をもって保持されるようにする。この角度で保持されることで切り花をより美しく見せることができる。
【００３７】
次にポンプ３０を駆動させて、給水ホース２９を介して、分流器３１の吐出口５２から水を吐出させる。この吐出された水は、そのまま下方に位置する上段樋４１の後壁４９と水流調整板５３との間の流路に供給されることになる。
【００３８】
この供給された水は、上段樋４１の後壁４９と水流調整板５３によって形成される流路に従って左右方向に誘導される。この過程で水流は整流され、渦などの乱れが取り除かれる。その後、水流調整板５３を左右側から迂回した水流は、上段樋４１の前壁４８と水流調整板５３により形成される流路に導かれる。
【００３９】
この流路に導かれた水流は、散水孔カバー４５の開口部４５ａ、４５ｂを通り、上段樋４１の底壁４１ａと散水孔カバー４５の上板４６との間に形成された間隙に流入する。この間隙に流入した水は、底壁４１ａに形成された散水孔４４を通り、重力に従い自然落下する。
【００４０】
ここで上段樋４１の下方には上段の収容空間１５に収容された花受け籠１３が位置する。従って、散水孔４４から自然落下した水は花受け籠１３の上部に降り注ぐ。この降り注ぐ水は、花受け籠１３の枠を通過し、花受け籠１３の内部に保持された切り花７６に供給される。
【００４１】
自然落下した水のうち、切り花７６に吸収されなかった水は、そのまま自然落下を続け、中段樋４２に供給されることとなる。具体的には、自然落下した水はまず消音板５４にぶつかり、その後、中段樋４２の側壁５０と消音板５４との間の隙間から中段樋４２内に導かれる。
【００４２】
中段樋４２も上段樋４１と同様に複数の散水孔４４と散水孔カバー４５とを有する。従って、上段樋４１で説明した場合と同様に、水は散水孔４４に導かれ、自然落下する。この自然落下した水の一部は中段の収容空間１６に収容されている切り花７６によって吸収される。また吸収されなかった水は、中段樋４２の真下に位置する下段樋４３へと供給されることとなる。
【００４３】
ここで下段樋４３の構成及び機能については、中段樋４２と全く同じである。よって同一の符号を付することで説明を省略する。
【００４４】
下段の収容空間１７に収容された花受け籠１３を通過した水は、基枠１２の下端板２４に落下し、ケーシング８１内に流入し、再び水槽２６に貯留される。
【００４５】
このような構成によれば、各々の散水孔４４から落下する水量のばらつきを少なくすることができる。すなわち、散水孔カバー４５を散水孔４４の上部に取付けることで、樋４１〜４３内の水流の乱れを抑制し、各散水孔４４の上部に安定した水量を供給することができる。これにより、各収容空間１５〜１７に収容された切り花７６に供給される水量の均等化を図った切り花保存装置を得ることができる。
【００４６】
散水孔カバー４５は、樋４１〜４３とは別体に形成してある。これにより散水孔４４が付着物により詰まった場合などに、散水孔カバー４５を樋４１〜４３から取り外すことで、散水孔４４の清掃を容易に行うことができる。
【００４７】
上段樋４１は水流調整板５３を有するので、吐出口５２から上段樋４１に給水された水流はいったん整流される。これにより、各々の散水孔４４から落下する水量のばらつきをさらに少なくすることができる。
【００４８】
樋４２、４３は、表面にスポンジ５５を有した消音板５４を備える。従って、樋４２、４３に落下した水が跳ね飛ばず、また音も静かになる。また花受け籠１３の上下左右側面にステンレス鋼板７１〜７４を設けたことで、水の飛び散りがさらに少なくなる。
【００４９】
樋４１〜４３は、その前壁４８が後壁４９および側壁５０より高く形成されている。これにより、例えば消音板５４を有していても防げないわずかな水の飛び散りが、購入者がいる前方へ飛び散ることをさらに防ぐことができる。
【００５０】
ケーシング８１には傾斜板６５が設けられている。よって開口部Ｓ１に落下することで飛び散る水の大部分は、この傾斜板６５にぶつかり、さらに前方へ飛び散ることが防がれる。
【００５１】
花受け籠１３はステンレス鋼板７１〜７４を有する。これにより、切り花７６にあたった水が前方に飛び散ることをさらに防ぐことができる。
【００５２】
花受け籠１３の底部には位置決め板７８が取付けられている。従って、花受け籠１３に保持された切り花７６は、花受け籠１３が収容空間１５〜１７に収容された状態で、切り口が鉛直方向に整列された状態で保持される。つまり、自然落下した水を切り口から所定の距離の茎部分に当たるように切り口の位置を調整でき、水の供給能率を最大に高めることができる。
【００５３】
本実施形態では、基枠１２の内部の収容空間は３つであるが、収容空間は２つであってもよく、また、４つ以上であってもよい。
【００５４】
また本実施形態では、上段樋４１は水平板３６と一体に形成されているが、別体に形成しても良い。また上段樋４１には複数の散水孔４４が長手方向に一列に並んで設けられているが、２列以上にわたって設けてもよい。また散水孔４４を設けるピッチも等間隔に限定されない。
【００５５】
本実施形態では、散水孔カバー４５の上板４６は、上段樋４１に収容される水の水面より低い位置になるように取付けられるが、上板４６を水面より高い位置になるように取付けても良い。ただし、上板４６を水面より低く配置することで、散水孔カバー４５の機能を効果的に発揮させることができる。
【００５６】
散水孔カバー４５の上板４６と側面板４７とは一体に形成されているが、上板４６と側面板４７を別体に形成してもよい。また側面板４７を設ける代わりに、上板４６を上段樋４１の前後の両壁面４８，４９に直接取付け、両壁面４８、４９を散水孔カバー４５の側面板として使用してもよい。
【００５７】
消音板５４の配置方向は、本実施形態に限られるものでなく、上方から落下する水を左右のどちらかの方向、又は後方へ向けて飛ばすように配置されるものであってもよい。またスポンジは緩衝材の一例であり、音又は衝撃を吸収する部材であればなんでもよく、材質はこれに限られない。
【００５８】
本実施形態では、線材により形成された花受け籠１３を花受け部に用いたが、花受け部は籠に限定されるものではない。花受け部は、切り花７６を保持でき、かつ、樋４１〜４３から落下した水を内部に透過できるものであればよい。
【００５９】
本実施形態では、供給ポンプ３０により上段樋４１にのみ水が直接給水されたが、これとは別に中段樋４２または下段樋４３に水を給水する吐出口を設け、これらの樋にも直接給水するようにしてもよい。
【図面の簡単な説明】
【００６０】
【図１】本発明の第１の実施形態に係る切り花保存装置の分解斜視図。
【図２】図１に示された切り花保存装置の断面図。
【図３】図１に示された切り花保存装置の正面図。
【図４】図１に示された切り花保存装置に組み込まれた上段樋の平面図。
【図５】図４に示された上段樋のＡ−Ａ断面を示す断面図。
【図６】図４に示された上段樋の断面図。
【図７】図１に示された切り花保存装置に組み込まれた中段および下段樋の平面図。
【図８】図７に示された中段および下段樋のＢ−Ｂ断面を示す断面図。
【図９】図７に示された中段および下段樋の断面図。
【符号の説明】
【００６１】
１１…切り花保存装置、１２…基枠、１３…花受け籠、１４…水供給装置、１５〜１７…収容空間、３０…ポンプ、４１…上段樋、４１ａ…底面、４１ｂ…周壁、４２…中段樋、４３…下段樋、４４…散水孔、４５…散水孔カバー、４６…上板、４７…側面板、５２…吐出口、５３…水流調整板、５４…消音板、５５…スポンジ、７６…切り花
【図１】
2006246848.tif 000003
【図２】
2006246848.tif 000004
【図３】
2006246848.tif 000005
【図４】
2006246848.tif 000006
【図５】
2006246848.tif 000007
【図６】
2006246848.tif 000008
【図７】
2006246848.tif 000009
【図８】
2006246848.tif 000010
【図９】
2006246848.tif 000011